(57)【要約】【課題】  ドーム部とエッジ部とが一体成形された振動板において、ボイスコイルの引き出し線の整形処理に関して変位対称性を改善して、ローリングまたは異音の発生といった不具合が生じるのを防ぎ、再生音質に優れるヘッドホン並びにスピーカーユニットを提供する。【解決手段】  振動板のエッジ部は、凸状面を凹ませて形成する凹状リブを、中心点を通過する径方向線に対してそれぞれ傾いた傾斜方向に複数本設けて回転対称に配置するとともに、振動板の最外周側に規定される固定部との間に、凹状リブが形成されない外周縁部を規定し、ボイスコイルがボイスコイル取付部に連結され、引き出し線が、エッジ部の背面側において一つの凹状リブと隣接する凹状リブの間に規定される谷間部に沿って第１接着剤層を形成する第１接着剤で固定され、さらに外周縁部に沿って湾曲させられて第２接着剤層を形成する第２接着剤で固定される。【選択図】  図４
2019161542.tif 000002
【特許請求の範囲】
【請求項１】
ヘッドホンまたはイヤホンに用いる動電型のスピーカーユニットを構成するボイスコイルを含む振動板であって、
該振動板が、シート状部材またはフィルム状部材を成形して、中央のドーム部と、該ドーム部の外周囲に延設されて径方向の断面が凸状となるエッジ部と、を一体に構成し、
該エッジ部が、凸状面を凹ませて形成する凹状リブを、中心点を通過する径方向線に対してそれぞれ傾いた傾斜方向に複数本設けて回転対称に配置するとともに、該振動板の最外周側に規定される固定部との間に、該凹状リブが形成されない外周縁部を規定し、
該ボイスコイルが該ドーム部の外周部に規定されるボイスコイル取付部に連結され、該ボイスコイルに信号電流を供給する引き出し線が、該エッジ部の背面側において一つの該凹状リブと隣接する該凹状リブの間に規定される谷間部に沿って第１接着剤層を形成する第１接着剤で固定され、さらに該外周縁部に沿って湾曲させられて第２接着剤層を形成する第２接着剤で固定される、
振動板。
【請求項２】
少なくとも前記第１接着剤が硬化した前記第１接着剤層が形成された後に前記第２接着剤が塗布されて硬化した前記第２接着剤層が形成される、
請求項１に記載の振動板。
【請求項３】
前記外周縁部に至る前記第１接着剤層の端部が、前記第２接着剤層により覆われている、
請求項１または２に記載の振動板。
【請求項４】
前記第１接着剤および前記第２接着剤は、ともに紫外線硬化接着剤である、
請求項１から３のいずれかに記載の振動板。
【請求項５】
請求項１から４のいずれかに記載の前記振動板と、該振動板の前記エッジ部の固定部が固定されるフレームと、該フレームに固定されて前記ボイスコイルの前記引き出し線が接続される端子と、該ボイスコイルのコイルが配置される磁気空隙を有して該フレームに固定される磁気回路と、該フレームの窓部の開孔を覆うように取り付けられる制動部材と、を備える、
スピーカーユニット。
【請求項６】
請求項５に記載のスピーカーユニットを備えるヘッドホンまたはイヤホン。
【請求項７】
ヘッドホンまたはイヤホンに用いる動電型のスピーカーユニットを構成するボイスコイルを含む振動板の製造方法であって、
シート状部材またはフィルム状部材を成形して、該振動板の中央のドーム部と、該ドーム部の外周囲に延設されて径方向の断面が凸状となるエッジ部と、を一体に構成し、該エッジ部に、凸状面を凹ませて形成する凹状リブを、中心点を通過する径方向線に対してそれぞれ傾いた傾斜方向に複数本設けて回転対称に配置するとともに、該振動板の最外周側に規定される固定部との間に、該凹状リブが形成されない外周縁部を規定する工程と、
該ボイスコイルを該ドーム部の外周部に規定されるボイスコイル取付部に連結する工程と、
該ボイスコイルに信号電流を供給する引き出し線を、該エッジ部の背面側において一つの該凹状リブと隣接する該凹状リブの間に規定される谷間部に沿って第１接着剤層を形成する第１接着剤で固定する工程と、
該引き出し線を、さらに該外周縁部に沿って湾曲させて第２接着剤層を形成する第２接着剤で固定する工程と、
を含む振動板の製造方法。
【発明の詳細な説明】
【技術分野】
【０００１】
本発明は、ユーザーの耳に装着されて音声再生するヘッドホン並びにイヤホンに用いられる動電型のスピーカーユニットの振動板に関する。
【背景技術】
【０００２】
ヘッドホン並びにイヤホンに用いられる小型の動電型のスピーカーユニットにおいては、ＰＥＴ（ポリエチレンテレフタレート）、ＰＥＩ（ポリエーテルイミド）、等の樹脂を材料とするフィルム状部材を成形して、ドーム部と、このドーム部の外周囲に延設されるエッジ部と、を一体に構成した振動板が用いられる場合がある。この動電型スピーカーでは、一体に構成された振動板の中央のドーム部とエッジ部との結合部に背面側から音声信号電流が供給されるボイスコイルが取り付けられる。振動板のエッジ部の外周端側は、小型軽量な磁気回路と連結するフレームに固定され、ボイスコイルのコイルは、磁気回路の磁気空隙に配置される。
【０００３】
振動板の形状は、動電型のスピーカーユニットが再生する音声の品質並びに音圧周波数特性に影響を与える。特に、ドーム部とエッジ部とが一体成形された振動板では、凸状（ロール状）のエッジ部にリブ（突起または溝）を複数設けて、上下に振動して変形するエッジ部の振動特性を調整しようとするものが多くある。例えば、従来には、内周縁と、外周縁との間にあって、内周縁から非接触で、曲線に沿って等間隔に複数本のリブを形成したスピーカー振動板がある（特許文献１）。また、従来には、ロール形状のエッジを有する音響再生用振動板において、エッジ内周からの接線とエッジ内周・外周との交点Ａ，Ｂ、およびエッジ内周と外周の距離の２等分円周上で交点Ａ，Ｂから等しく離れた点Ｃとの計３点を通る円弧状の溝又は突起を、エッジ全局面にわたって互いに重ならないように複数本設けたことを特徴とするものがある（特許文献２）。
【０００４】
特許文献１の図１または図２のような斜め方向の複数のリブを有するエッジ部を、タンジェンシャルエッジと呼ぶ場合がある。特許文献１の図２または図４に示されるこれらのリブの断面は、基材を直線的に角を設けるように折り曲げるようになっていて、振動板のエッジ部はリブにおいて鋭角に折り曲げられている。また、特許文献２でも述べられているとおり、振動板が上下に振動する際に、エッジ部の上方向および下方向への動き易さが異なる、つまり、エッジ部の変位対称性が異なって振動板の直線性が悪くなると、振動板のローリングまたは異音の発生といった不具合が生じやすくなる。エッジ部の変位対称性が異なれば、動電型のスピーカーユニットから放射される音波の偶数次歪みが増加する恐れが高くなり、再生音質が劣化するという問題がある。
【０００５】
また、上記の様な振動板を用いる動電型スピーカーユニットでは、振動板にはボイスコイルが取り付けられるので、ボイスコイルに音声信号電流を供給する引き出し線の整形処理が課題となる。引き出し線の整形処理としては、振動系重量を軽量化にする目的で振動板に引き出し線を固定しない空中配線による処理も存在するものの、断線や縄跳び現象といった不具合が生じやすくなる。そこで、ヘッドホン並びにイヤホンに用いられる小型の動電型のスピーカーユニットの振動板では、ボイスコイルの引き出し線は、エッジ部に沿わせるように接着剤で固定されて外周側のフレームの端子にまで引き出されることが多い。
【０００６】
しかし、そもそも振動板には極めて材厚が薄いフィルム材料を用いていて、ボイスコイルの引き出し線を固定する接着剤が硬化する際には多少なりとも収縮を伴うので、ボイスコイルの引き出し線を固定する接着剤が塗布されて硬化している部分と接着剤が塗布されていない部分とでの強度ならびにスティフネスの違いが生じて、振動板の変形が生じ易くなるという課題がある。また、この振動板を用いる動電型のスピーカーユニットは、振動板のローリングが生じやすくなり、上下対称性も損なわれ易くなるという課題がある。そこで、従来から、ボイスコイルの引き出し線の整形処理については、工夫が成されてきている。
【０００７】
例えば従来には、ドーム型振動板１の外周にあって当該振動板１を支持するエッジ２に、通常のコルゲーシヨンＢ２ｂとともに、相互に１２０度隔たる位置に振動板１の接線に沿って溝状のコルゲーシヨンＡ２ａが合計３本形成され、ボイスコイル３のリード線３ａが前記コルゲーシヨンＡ３ａのうちの１本のコルゲーシヨンＡの内側に沿って接着された状態で導出され、残った２本のコルゲーシヨンＡの内側には単に接着剤のみが塗布されている構造の振動系を有することを特徴とするドーム型スピーカーがある（特許文献３）。ここで、前記コルゲーシヨンＡ２ａは、振動板１の外周に外接するとともに、エッジ２の外周に内接する曲線に沿った形状であるものでもよい。
【０００８】
また、従来には、フレーム内に、外周縁を固定端として振動が可能な振動板と、該振動板の中央部に固定されたボイスコイルと、該ボイスコイルに磁界を作用させるマグネットとが配備され、ボイスコイルに通電することによって振動板を振動させるスピーカーユニットにおいて、振動板には、ボイスコイルよりも外側の外周部に、ボイスコイル側から外周縁に向かって渦巻き状に屈曲して伸びる複数本のリブが形成され、ボイスコイルから引き出されたリード線が１本のリブに添設されて屈曲線上を伸び、その先端部が振動板から突出して、フレームに設けたターミナルに接続されていることを特徴とするスピーカーユニットがある（特許文献４）。
【０００９】
また、従来には、外周部分を形成するサブドームを有していてボイスコイルが固定されている振動板と、永久磁石と、上記永久磁石の一方の極側に設けられたポールピースと、上記永久磁石の他方の極側に設けられたヨークと、を有し、上記ポールピースと上記ヨークとの間に形成される磁気ギャップ内に、上記振動板を介して上記ボイスコイルが振動可能に支持されているダイナミックヘッドホンユニットであって、上記ボイスコイルには、信号電流を流す引き出し配線が設けられ、上記サブドームには、半径方向に直線状のコルゲーションが間隔をおいて複数形成され、上記引き出し配線は、上記コルゲーション間において上記サブドームの内面側に感圧接着剤により直線状に接着されていることを特徴とするダイナミックヘッドホンユニットがある（特許文献５）。
【００１０】
【特許文献１】実開昭５７−２００９９６号公報
【特許文献２】実開昭６２−１３９１９１号公報
【特許文献３】実公平５−１１９５号公報
【特許文献４】特開２００４−１２９０８０号公報
【特許文献５】特許第６２４２１６０号公報
【発明の概要】
【発明が解決しようとする課題】
【００１１】
本発明は、上記の従来技術が有する問題を解決するためになされたものであり、その目的は、ヘッドホン並びにイヤホンに用いられる動電型のスピーカーユニットのボイスコイルを含む振動板に関し、特にドーム部とエッジ部とが一体成形された振動板において、ボイスコイルの引き出し線の整形処理に関して変位対称性を改善して、振動板のローリングまたは異音の発生といった不具合が生じるのを防ぎ、再生音質に優れるヘッドホン並びにスピーカーユニットを提供することにある。
【課題を解決するための手段】
【００１２】
本発明の振動板は、ヘッドホンまたはイヤホンに用いる動電型のスピーカーユニットを構成するボイスコイルを含む振動板であって、振動板が、シート状部材またはフィルム状部材を成形して、中央のドーム部と、ドーム部の外周囲に延設されて径方向の断面が凸状となるエッジ部と、を一体に構成し、エッジ部が、凸状面を凹ませて形成する凹状リブを、中心点を通過する径方向線に対してそれぞれ傾いた傾斜方向に複数本設けて回転対称に配置するとともに、振動板の最外周側に規定される固定部との間に、凹状リブが形成されない外周縁部を規定し、ボイスコイルがドーム部の外周部に規定されるボイスコイル取付部に連結され、ボイスコイルに信号電流を供給する引き出し線が、エッジ部の背面側において一つの凹状リブと隣接する凹状リブの間に規定される谷間部に沿って第１接着剤層を形成する第１接着剤で固定され、さらに外周縁部に沿って湾曲させられて第２接着剤層を形成する第２接着剤で固定される。
【００１３】
好ましくは、本発明の振動板は、少なくとも第１接着剤が硬化した第１接着剤層が形成された後に第２接着剤が塗布されて硬化した第２接着剤層が形成される。
【００１４】
また、好ましくは、本発明の振動板は、外周縁部に至る第１接着剤層の端部が、第２接着剤層により覆われている。
【００１５】
また、好ましくは、本発明の振動板は、第１接着剤および第２接着剤は、ともに紫外線硬化接着剤である。
【００１６】
また、本発明のスピーカーユニットは、上記の振動板と、振動板のエッジ部の固定部が固定されるフレームと、フレームに固定されてボイスコイルの引き出し線が接続される端子と、ボイスコイルのコイルが配置される磁気空隙を有してフレームに固定される磁気回路と、フレームの窓部の開孔を覆うように取り付けられる制動部材と、を備える。
【００１７】
また、本発明のヘッドホンまたはイヤホンは、上記のスピーカーユニットを備える。
【００１８】
また、本発明の振動板の製造方法は、ヘッドホンまたはイヤホンに用いる動電型のスピーカーユニットを構成するボイスコイルを含む振動板の製造方法であって、シート状部材またはフィルム状部材を成形して、振動板の中央のドーム部と、ドーム部の外周囲に延設されて径方向の断面が凸状となるエッジ部と、を一体に構成し、エッジ部に、凸状面を凹ませて形成する凹状リブを、中心点を通過する径方向線に対してそれぞれ傾いた傾斜方向に複数本設けて回転対称に配置するとともに、振動板の最外周側に規定される固定部との間に、凹状リブが形成されない外周縁部を規定する工程と、ボイスコイルをドーム部の外周部に規定されるボイスコイル取付部に連結する工程と、ボイスコイルに信号電流を供給する引き出し線を、エッジ部の背面側において一つの凹状リブと隣接する凹状リブの間に規定される谷間部に沿って第１接着剤層を形成する第１接着剤で固定する工程と、引き出し線を、さらに外周縁部に沿って湾曲させて第２接着剤層を形成する第２接着剤で固定する工程と、を含む。
【００１９】
以下、本発明の作用について説明する。
【００２０】
本発明の振動板は、ヘッドホンまたはイヤホンに用いる動電型のスピーカーユニットを構成するボイスコイルを含む振動板であって、振動板が、シート状部材またはフィルム状部材を成形して、中央のドーム部と、ドーム部の外周囲に延設されて径方向の断面が凸状となるエッジ部と、を一体に構成し、エッジ部が、凸状面を凹ませて形成する凹状リブを、中心点を通過する径方向線に対してそれぞれ傾いた傾斜方向に複数本設けて回転対称に配置するとともに、振動板の最外周側に規定される固定部との間に、凹状リブが形成されない外周縁部を規定する。
【００２１】
スピーカーユニットは、この振動板と、振動板のエッジ部の固定部が固定されるフレームと、フレームに固定されてボイスコイルの引き出し線が接続される端子と、ボイスコイルのコイルが配置される磁気空隙を有してフレームに固定される磁気回路と、フレームの窓部の開孔を覆うように取り付けられる制動部材と、を備えればよい。本発明のヘッドホンまたはイヤホンを構成できる。
【００２２】
ここで、本発明の振動板は、ボイスコイルがドーム部の外周部に規定されるボイスコイル取付部に連結され、ボイスコイルに信号電流を供給する引き出し線が、エッジ部の背面側において一つの凹状リブと隣接する凹状リブの間に規定される谷間部に沿って第１接着剤層を形成する第１接着剤で固定され、さらに外周縁部に沿って湾曲させられて第２接着剤層を形成する第２接着剤で固定される。
【００２３】
したがって、ボイスコイルの引き出し線の整形処理に関して、引き出し線を固定する第１接着剤が３つ以上の複数の凹状リブに及ばない第１接着剤層が形成され、さらに、引き出し線を固定する第２接着剤が振動板の最外周側の外周縁部に塗布されて第２接着剤層が形成されるので、振動板の円周方向における強度ならびにスティフネスの違いが生じにくくなり、その結果、この振動板を用いる動電型のスピーカーユニットは、振動板のエッジ部の上下変位対称性および直線性を改善して、振動板のローリングまたは異音の発生を抑制し、再生音質を優れたものにすることができる。
【００２４】
振動板は、少なくとも第１接着剤が硬化した第１接着剤層が形成された後に第２接着剤が塗布されて硬化した第２接着剤層が形成されるようにするのが好ましい。ボイスコイルの引き出し線を、まず２つの凹状リブの間に規定される谷間部に沿うように整形して固定し、さらに、外周縁部に沿って湾曲させて整形して固定することができる。外周縁部に至る第１接着剤層の端部は、第２接着剤層により覆われていてもよい。本発明の振動板の製造方法において、第１接着剤および第２接着剤を、ともに紫外線硬化接着剤にすれば、実現可能である。
【発明の効果】
【００２５】
本発明のヘッドホン並びにイヤホンに用いられる動電型のスピーカーユニットの振動板は、特にドーム部とエッジ部とが一体成形された振動板において、ボイスコイルの引き出し線の整形処理に関して変位対称性および直線性を改善して、振動板のローリングまたは異音の発生といった不具合が生じるのを防ぎ、再生音質に優れるヘッドホン並びにスピーカーユニットを提供することができる。
【図面の簡単な説明】
【００２６】
【図１】本発明の一実施形態に係るヘッドホン並びにイヤホンに用いられる動電型のスピーカーユニットの外観図である。
【図２】本発明の一実施形態に係るスピーカーユニットの具体的な構造を示した説明図である。
【図３】本発明の一実施形態に係る振動板の形状を示す断面図である。
【図４】本発明の一実施形態に係る振動板でのボイスコイルの引き出し線の整形処理を説明する図である。
【図５】比較例の振動板でのボイスコイルの引き出し線の整形処理を説明する図である。
【図６】本実施例または比較例の振動板の変位対称性および直線性を示すグラフである。
【図７】本実施例または比較例の振動板を用いた動電型のスピーカーユニットの音圧周波数特性および直線性を示すグラフである。
【発明を実施するための形態】
【００２７】
以下、本発明の好ましい実施形態による振動板およびこれを用いたスピーカーユニット、ヘッドホン、並びにイヤホンについて説明するが、本発明はこれらの実施形態には限定されない。
【実施例１】
【００２８】
図１または図２は、本発明の好ましい実施形態によるヘッドホン並びにイヤホンに用いられる動電型のスピーカーユニット１について説明する図である。具体的には、図１は、スピーカーユニット１の外観を示す前面側からの斜視図であり、図２は、このスピーカーユニット１を前面側からみた図である。なお、スピーカーユニット１の形態は、本実施例の場合に限定されない。また、本発明の説明に不要なスピーカーユニット１の構成については、図示及び説明を省略する。
【００２９】
本実施例のスピーカーユニット１は、ユーザーの耳に近接させて配置するヘッドホン並びにイヤホンに用いられる呼び口径が４０ｍｍと小径の動電型スピーカーである。なお、スピーカーユニット１は、ヘッドホンのキャビティ又はイヤホンのボディに取り付けられて、ヘッドホンまたはイヤホンを構成する。ただし、このスピーカーユニット１を用いるヘッドホン又はイヤホンの具体的な形態については、図示及び説明を省略する。
【００３０】
スピーカーユニット１は、樹脂材料で形成されるフレーム２と、フレーム２に固定される（図示しない）磁気回路３と、フィルム状のＰＥＴ（ポリエチレンテレフタレート）部材を成形した振動板１０と、振動板１０に連結してそのコイルが（図示しない）磁気回路３の（図示しない）磁気空隙に配置される（図示しない）ボイスコイル５と、ボイスコイル５のコイルからの（図示しない）引き出し線６が接続される端子４と、フレーム２に取り付けられて振動板１０から放射された音波が通過する（図示しない）制動部材と、を備える。なお、磁気回路３とボイスコイル５、並びに、制動部材フレーム２の後述する開孔を覆う制動部材は、図１および図２では振動板１０の背面側に位置して隠れることになるので、外観視されていない。
【００３１】
振動板１０は、球面の一部のようなドーム部１１と、このドーム部１１の外周囲に延設されるエッジ部１２と、を一体に構成した振動板である。ドーム部１１の外周部であってエッジ部１２との結合部に、背面側から音声信号電流が供給されるボイスコイル５が取り付けられる。振動板１０のエッジ部１２の外周端側の固定部１６は、フレーム２の振動板固定部２１に固定され、小型軽量な磁気回路３は、フレーム２の（図示しない）磁気回路固定部２２に固定される。磁気回路固定部２２の内側には、磁気回路３の磁気空隙と連通してボイスコイル５が通過する開孔が設けられる。振動板１０と連結するボイスコイル５のコイルは、磁気回路３の磁気空隙に配置される。
【００３２】
したがって、スピーカーユニット１では、強い直流磁界が発生する磁気回路３の磁気空隙中に配置されるボイスコイル５に音声信号電流が供給されると、図示するＺ軸方向に駆動力が発生し、ボイスコイル５ならびに振動板１０から構成されるスピーカー振動系がＺ軸方向に振動する。つまり、スピーカー振動系は、振動板１０のエッジ１２のみによって振動可能に支持されており、その結果、振動板１０の前後に存在する空気に圧力変化を生じ、音声信号電流を音波（音声）に変換する。
【００３３】
フレーム２は、振動板１０のエッジ部１２の固定部１６を固定する略円環形状の振動板固定部２１と、磁気回路３を固定する略円環形状の磁気回路固定部２２と、振動板固定部２１と磁気回路固定部２２とを連結して複数の（図示しない）開孔を規定する（図示しない）連結部２３と、振動板固定部２１の外周側に突出するように設けられて端子４を固定する端子固定部２４と、を有する。フレーム２は、前面側に振動板１０のドーム部１１およびエッジ部１２が露出するように取り付けて、振動板１０の前面側から放射される音波が再生されるように構成されている。
【００３４】
さらに、フレーム２は、振動板１０の前面側から放射される音波とは逆相の関係になる振動板１０の背面側から放射される音波に関して、連結部２３に規定されている複数の（図示しない）開孔を通じてエッジ部１２からの音波が背面側に再生されるように構成されている。連結部２３には、開孔を覆うように通気性を有する（図示しない）制動部材を取り付けることができる。スピーカーユニット１は、ヘッドホン又はイヤホンに適するように、開孔および制動部材によってフレーム２の内部空間によるコンプライアンス（音響容量）を調整でき、コンプライアンスが調整されることによって周波数特性、特に低音域の周波数特性を調整することができる。このフレーム２では、振動板固定部２１の外周側に突出するように端子４を固定する端子固定部２４を設けているので、フレーム２の連結部２３において周方向に渡って一様に開孔を設けることができる。
【００３５】
本実施例のフレーム２は、樹脂材料を採用することにより、高い内部損失と優れた機械的特性をバランスよく有し、軽量で、かつ、優れた耐熱性およびＳ／Ｎ比を有することができる。より詳細には、ポリフェニレンエーテル系樹脂と、ポリスチレン系樹脂と、ポリオレフィン系樹脂とが特定の比率で含有されることにより、格段に高い内部損失と優れた機械的特性をバランスよく有し、かつ、これらの樹脂が本来有する優れた耐熱性、耐湿性、成形性、寸法安定性、軽量性を損なわずに振動特性に優れるフレーム２を得ることができる。
【００３６】
振動板１０は、厚みが２０μｍのフィルム状のＰＥＴ（ポリエチレンテレフタレート）部材を成形している。振動板１０のエッジ部１２は、径方向の断面が凸状となるロールエッジであり、図１または図２に示すように、凸状面を凹ませて形成する凹状リブ１３が複数設けられている。また、図３は、図２のＤ−Ｄ断面を示す部分拡大図であり、振動板１０のエッジ部１２の凹状リブ１３、並びに、エッジ部１２の背面側において一つの凹状リブ１３とそれに隣接する凹状リブ１３の間に規定される谷間部１４について説明する図である。
【００３７】
凹状リブ１３は、中心点Ｏを通過する径方向線Ｒに対してそれぞれ角度φ（＝１５度）の方向に傾いた傾斜方向に設けられている。本実施例の凹状リブ１３は、エッジ部１２において、中心点Ｏを中心に回転対称に角度δ（＝７．５度）の間隔で離れるようにして４８本配置されている。凹状リブ１３は、振動板１０の変位対称性を改善して、振動板１０のローリングまたは異音の発生といった不具合が生じるのを防ぎ、再生音質を改善する。
【００３８】
図３の断面図には、エッジ部１２の凸状面を凹ませて形成される凹状リブ１３の断面が示されている。図３では、エッジ部１２の２つの凸状面の間とその両端側に３カ所の凹状リブ１３の断面が出現している。例えば、中央の凹状リブ１３のエッジ部１２の凸状面からの深さＨは、このＤ−Ｄ断面の位置とエッジ部１２の内周側端部または外周側端部に近い位置とでは異なるように変化し、このＤ−Ｄ断面の位置付近で最も深くなる。凹状リブ１３は、凸状のエッジ部１２の両端部を除く部分に長くて深い溝状の部分として設けられる。凹状リブ１３の内側の端は、ドーム部１１の外周部であってエッジ部１２との結合部に至らず、また、凹状リブ１３の外側の端は、フレーム２の振動板固定部２１と固定される固定部にまでは至らない。
【００３９】
ここで、それぞれの凹状リブ１３は、エッジ部１２の凸状面との境界を規定する稜線部が、内周側から外周側に至るまで小さな曲面で面取りされているように形成されている。図３の断面図では、凹状リブ１３の稜線部を面取りする曲面が、断面半径を示す寸法Ｒｘで示されている。この半径寸法Ｒｘは、例えば、０．３ｍｍ以上で１．０ｍｍ以下の所定値に設定するのがよい。また、それぞれの凹状リブ１３の底部は、稜線部の曲面と同程度の小さな曲面で面取りされているように形成されている。図３の断面図では、凹状リブ１３の底部を面取りする曲面が、断面半径を示す寸法Ｒｙで示されている。
【００４０】
一方で、エッジ部１２の背面側においては、一つの凹状リブ１３とそれに隣接する凹状リブ１３の間に谷間部１４が規定される。谷間部１４は、エッジ部１２の凸状面の背面側である。上記の凹状リブ１３のエッジ部１２の凸状面からの深さＨは、谷間部１４の深さ寸法も規定する。したがって、エッジ部１２の背面側から見た谷間部１４の内側の端は、ドーム部１１の外周部であってエッジ部１２との結合部に至らず、また、谷間部１４の外側の端は、フレーム２の振動板固定部２１と固定される固定部１６にまでは至らない。その結果、エッジ部１２の背面側においては、凹状リブ１３並びに谷間部１４の外側の端と固定部１６との間に、凹状リブ１３並びに谷間部１４が形成されない円環状の外周縁部１５が規定される。
【００４１】
図４は、本実施例の振動板１０でのボイスコイル５の引き出し線６の整形処理を説明する図である。具体的には、図４（ａ）は、ボイスコイル５が連結された振動板１０の一部を背面側から見た状態を説明する図であり、図４（ｂ）は、図４（ａ）における部分Ａの拡大断面図である。ボイスコイル５の引き出し線６は、振動板１０のエッジ部１２の背面側に沿って第１接着剤および第２接着剤で固定される。ただし、図４（ａ）においては、引き出し線６の整形処理の説明を優先して、第１接着剤が硬化して形成される第１接着剤層７と、第２接着剤が硬化して形成される第２接着剤層８と、の図示を省略する。
【００４２】
振動板１０の背面側では、円環状のボイスコイル５がドーム部１１の外周部に規定されるボイスコイル取付部に連結される。そして、ボイスコイル５に接続して信号電流を供給する引き出し線６が、エッジ部１２の背面側に沿って外周側へ引き出される。引き出し線６の末端は、スピーカーユニット１として組み立てられる際に、図４（ａ）において図示しない端子４に接続される。なお、ボイスコイル５の引き出し線６は、円環状に巻回されたコイルの両端に接続する２本が少なくとも必要であるが、整形処理としては同様なので、以下ではその一方の整形処理のみを説明する。
【００４３】
振動板１０のエッジ部１２の背面側において、ボイスコイル５の引き出し線６は、最初に、一つの凹状リブ１３とそれに隣接するもう一つの凹状リブ１３の間に規定される谷間部１４に沿って外周側へ向かうように配置され、そのまま第１接着剤で固定される。この第１接着剤は、紫外線を照射すると硬化する紫外線硬化接着剤である。第１接着剤は、硬化しても弾性を有する第１接着剤層７を形成し、その内部に引き出し線６を含んで引き出し線６を谷間部１４に固定する。したがって、第１接着剤層７は、その外周側の端部が振動板１０の外周縁部１５にほぼ至るようになる。図４（ｂ）に拡大して断面を図示する図４（ａ）における部分Ａは、この第１接着剤層７の外周側の端部を含む部分である。
【００４４】
ボイスコイル５の引き出し線６は、その次に、振動板１０の外周縁部１５に沿うように部分Ａのところで湾曲させられて配置され、そのまま第２接着剤で固定される。上記の様に、引き出し線６は、第１接着剤で谷間部１４に沿って固定された後なので、外周縁部１５に沿うように湾曲させて整形し、第２接着剤で固定することができる。この第２接着剤は、第１接着剤と同様に、紫外線を照射すると硬化する紫外線硬化接着剤である。第２接着剤は、硬化しても弾性を有する第２接着剤層８を形成し、その内部に引き出し線６を含んで引き出し線６を外周縁部１５に固定する。
【００４５】
つまり、本実施例の振動板１０での引き出し線６の整形処理では、第１接着剤が硬化した第１接着剤層７が形成された後に、第２接着剤が塗布されて硬化した第２接着剤層８が形成される。その結果、図４（ｂ）に図示するように、谷間部１４から外周縁部１５に至る第１接着剤層７の端部は、第２接着剤層８により覆われる。そして、引き出し線６の末端は、振動板１０の固定部１６の外側にさらに引き出されて、スピーカーユニット１として組み立てられる際に、図４（ａ）において図示しない端子４に接続される。
【００４６】
上記の様に、ボイスコイル５の引き出し線６の整形処理に関して、引き出し線６を固定する第１接着剤層７では、第１接着剤が２つの凹状リブ１３の間の谷間部１４に及ぶものの、第１接着剤は３つ以上の複数の凹状リブに及ばない。また、引き出し線６を固定する第２接着剤層８は、最外周の固定部１６に近くて比較的に振動量が少ない最外周側の外周縁部１５に第２接着剤が塗布されて形成されるので、エッジ部１２の強度ならびにスティフネスへの影響が比較的に少なくなる。
【００４７】
つまり、エッジ部１２において引き出し線６を固定する第１接着剤層７が最小の範囲である一つの谷間部１４にのみ形成され、かつ、第２接着剤層８が影響の少ない外周縁部１５に形成されるので、エッジ部１２の他の引き出し線６が固定されずに接着剤が塗布されていない部分との間で、振動板１０のエッジ部１２の円周方向における強度ならびにスティフネスの違いを小さくすることができる。その結果、この振動板１０を用いるスピーカーユニット１は、振動板１０のエッジ部１２の上下変位対称性および直線性を改善して、振動系のローリングまたは異音の発生を抑制し、再生音質を優れたものにすることができる。
【００４８】
図５は、比較例の振動板１００ａ並びに１００ｂでのボイスコイル５の引き出し線６の整形処理を説明する図である。具体的には、図５（ａ）は、ボイスコイル５が連結された振動板１００ａの一部を背面側から見た状態を説明する図であり、図５（ｂ）は、他の振動板１００ｂの一部を背面側から見た状態を説明する図である。
【００４９】
振動板１００ａ並びに１００ｂの背面側では、円環状のボイスコイル５がドーム部１１の外周部に規定されるボイスコイル取付部に連結される。そして、ボイスコイル５に接続して信号電流を供給する引き出し線６が、エッジ部１２の背面側に沿って外周側へ引き出される。本実施例の振動板１０の場合と、比較例の振動板１００ａ並びに１００ｂの場合との相違点は、ボイスコイル５の引き出し線６の整形処理である。振動板およびスピーカーユニットとしての他の構成は、上記の本実施例の場合と共通するので、共通する構成の説明は省略する。
【００５０】
本実施例の振動板１０の場合と同様に、ボイスコイル５の引き出し線６は、比較例の振動板１００ａ並びに１００ｂのエッジ部１２の背面側に沿って接着剤で固定されるが、用いる接着剤は従来のように一種類の紫外線を照射すると硬化する紫外線硬化接着剤である。ただし、図５（ａ）並びに図５（ｂ）においては、引き出し線６の整形処理の説明を優先して、接着剤が硬化して形成される接着剤層９の図示を省略する。
【００５１】
図５（ａ）に示すように、比較例の振動板１００ａのエッジ部１２の背面側において、ボイスコイル５の引き出し線６は、複数（合計８カ所）の凹状リブ１３を跨ぐように湾曲して外周側へ向かうように配置され、そのまま接着剤で固定される。この接着剤は、硬化しても弾性を有する（図示しない）接着剤層９を形成し、その内部に引き出し線６を含んで引き出し線６を８カ所の凹状リブ１３および谷間部１４を跨ぐようにエッジ部１２の背面側に固定する。したがって、振動板１００ａの場合には、接着剤層９が形成される範囲は、本実施例の振動板１０の場合よりも広くなり、複数の谷間部１４に入り込む接着剤の量も増加することになって、接着剤層９のエッジ部１２の強度ならびにスティフネスへの影響は、比較的に強くなってしまう。
【００５２】
また、図５（ｂ）に示すように、もう一つの比較例の振動板１００ｂのエッジ部１２の背面側において、ボイスコイル５の引き出し線６は、最初に、一つの凹状リブ１３とそれに隣接するもう一つの凹状リブ１３の間に規定される谷間部１４に沿って外周側へ向かうように配置され、谷間部１４の途中から湾曲させられて、複数（合計５カ所）の凹状リブ１３を跨ぐように湾曲して外周側へ向かうように配置され、そのまま接着剤で固定される。この接着剤は、硬化しても弾性を有する（図示しない）接着剤層９を形成し、その内部に引き出し線６を含んで引き出し線６を５カ所の凹状リブ１３および谷間部１４を跨ぐようにエッジ部１２の背面側に固定する。したがって、振動板１００ｂの場合には、接着剤層９が形成される範囲は、本実施例の振動板１０の場合よりも広くなり、複数の谷間部１４に入り込む接着剤の量も増加することになって、接着剤層９のエッジ部１２の強度ならびにスティフネスへの影響は、比較的に強くなってしまう。
【００５３】
つまり、比較例の振動板１００ａまたは１００ｂの場合には、エッジ部１２において引き出し線６を固定する接着剤層９が、比較的に広い範囲で複数の凹状リブ１３および谷間部１４を跨ぐようにエッジ部１２の背面側に固定するので、エッジ部１２の他の引き出し線６が固定されずに接着剤が塗布されていない部分との間で、エッジ部１２の円周方向における強度ならびにスティフネスの違いが大きくなる。その結果、比較例の振動板１００ａまたは１００ｂを用いるスピーカーユニット１は、エッジ部１２の上下変位対称性および直線性が悪化して、振動系のローリングまたは異音の発生を抑制することが難しくなり、再生音質が劣化する。
【００５４】
図６は、本実施例の振動板１０、並びに、比較例の振動板１００ａまたは１００ｂのＺ軸方向の変位対称性および直線性をそれぞれ示すグラフである。このグラフは、それぞれの振動板を用いたスピーカーユニットに最低共振周波数ｆ０以下の変位が大きくなる周波数（２０Ｈｚ）の入力信号を与え、与える入力電力［ｍＷ］の値を横軸にとって、入力電力に対する振動板１０のＺ軸方向の変位量（Displacement [mm]）の絶対値を縦軸にとって、上方向（Up：実線、前面方向）と下方向（Down：点線、背面方向）とを重ね書きしたグラフである。
【００５５】
エッジ部１２のＺ軸方向の変位対称性の観点では、変位対称性に優れる理想的な振動板の場合には、上方向の特性曲線と下方向との特性曲線が離れることなく近づいて、ほぼ一致するようになる。また、直線性の観点では、直線性に優れるエッジ部１２を備える振動板の場合には、横軸の入力電力値が１ｍＷ、２ｍＷ、４ｍＷ、８ｍＷと一定の比率で大きくなるのにつれて、縦軸のＺ軸方向の変位量が比例して大きくなるのが好ましい。
【００５６】
振動板１０、１００ａまたは１００ｂにおける変位の測定点は、ボイスコイル５の引き出し線６が接着剤で固定される付近となる（Ｌｅａｄ）部分と、中心点Ｏを中心として（Ｌｅａｄ）部分の回転対称の反対側付近であって引き出し線６が接着剤で固定されない（Ｏｐｐｏｓｉｔｅ）部分と、の２カ所である。エッジ部１２の円周方向における強度ならびにスティフネスの違いが少なければ、（Ｌｅａｄ）部分並びに（Ｏｐｐｏｓｉｔｅ）部分の特性曲線は、変わらないことになる。一方で、（Ｌｅａｄ）部分並びに（Ｏｐｐｏｓｉｔｅ）部分の特性曲線は、エッジ部１２の円周方向における強度ならびにスティフネスの違いが大きければ、乖離することになる。（Ｌｅａｄ）部分並びに（Ｏｐｐｏｓｉｔｅ）部分の特性曲線が乖離する場合には、スピーカーユニットの振動板がローリングして異音を発生するといった不具合が生じる恐れがある。
【００５７】
図６のグラフを参照すると、本実施例の振動板１０の場合（図６（ａ））は、比較例の振動板１００ａの場合（図６（ｂ））または１００ｂの場合（図６（ｃ））と比較して、上方向の特性曲線と下方向との特性曲線とがかなり近づいて、エッジ部１２のＺ軸方向の変位対称性並びに直線性が優れ、さらに、エッジ部１２の円周方向における強度ならびにスティフネスの違いがほとんどないことがわかる。つまり、本実施例の振動板１０の場合には、（Ｌｅａｄ）部分並びに（Ｏｐｐｏｓｉｔｅ）部分の特性曲線は、ほとんど変わらない。
【００５８】
一方で、比較例の振動板１００ａの場合または１００ｂの場合には、（Ｌｅａｄ）部分並びに（Ｏｐｐｏｓｉｔｅ）部分における強度ならびにスティフネスの違いが顕著である。上下変位対称性および直線性も、本実施例の振動板１０の場合よりも劣ることは明らかである。上下変位対称性の観点では、比較例の振動板１００ａの場合または１００ｂの場合には、下側に動いて変位しやすく、上側に動いて変位しにくいものになっている。本実施例の振動板１０の場合と、比較例の振動板１００ａ並びに１００ｂの場合との相違点は、実質的にボイスコイル５の引き出し線６の整形処理のみであるので、本実施例の振動板１０のボイスコイル５の引き出し線６の整形処理が、比較例の振動板１００ａ並びに１００ｂの場合よりも優れていることが分かる。
【００５９】
したがって、振動板１０を用いる動電型のスピーカーユニット１は、ボイスコイルおよび振動板１０が構成するスピーカー振動系がローリングするなどして異音を発生することを抑制することができる。振動板１０のＺ軸方向の変位対称性が優れていれば、振動板１０が上方向と下方向とで変位の絶対値が等しい場合に排出する空気量が等しくなる方向に近づくので、偶数次歪みの発生を抑制して再生音質を優れたものにすることができる。
【００６０】
図７は、本実施例の振動板１０または比較例の振動板１００ａ並びに１００ｂを用いた動電型のスピーカーユニット１の音圧周波数特性および直線性を示すグラフである。横軸が入力音声信号の周波数（１００Ｈｚ〜１０ｋＨｚ）であり、縦軸が距離約３ｃｍ離れた位置における再生される音波の音圧レベルである。ただし、共通して与える入力電力［ｍＷ］の値を１ｍＷ、２ｍＷ、４ｍＷ、８ｍＷ、１６ｍＷ、３２ｍＷ、６４ｍＷ、１２８ｍＷ、２５６ｍＷと２倍の比率で大きくして測定したグラフを重ね書きしている。したがって、理想的な場合には、全ての周波数で約３ｄＢずつレベルが上昇するような等間隔に離れたグラフが現れることが期待される。
【００６１】
本実施例の振動板１０の場合（図７（ａ））には、上記の様に直線性に優れるスピーカーユニットになっているので、入力電力が小さい値から大きな値になっていっても、全ての周波数でほぼ約３ｄＢずつレベルが上昇するような等間隔で離れたグラフが現れている。振動板１０のＺ軸方向の変位が比較的に大きい約１００Ｈｚ〜２００Ｈｚ付近において、３２ｍＷ→６４ｍＷ→１２８ｍＷ→２５６ｍＷと大きく入力電力を変化する場合に注目すべきである。
【００６２】
一方で、直線性に優れない比較例の振動板１００ａの場合（図７（ｂ））並びに１００ｂの場合（図７（ｖ））には、本実施例の振動板１０の場合に比べて直線性に劣るスピーカーユニットになっているので、大きな入力電力になると特に低い周波数で約３ｄＢずつレベルが上昇しなくなり、等間隔ではないグラフが現れることになる。約１００Ｈｚ〜２００Ｈｚ付近において、３２ｍＷ→６４ｍＷ→１２８ｍＷ→２５６ｍＷと入力電力を変化する場合に、本実施例の振動板１０の場合との差が顕著に現れている。
【００６３】
つまり、本実施例の振動板１０の場合には、比較例の振動板１００ａの場合並びに１００ｂの場合に比較して、再生する音圧レベルでも直線性が改善する。この本実施例の振動板１０を用いる動電型のスピーカー１ユニットは、これを備えるヘッドホンまたはイヤホンの再生音質を優れるものにできる。
【００６４】
本実施例の振動板１０を用いる動電型のスピーカーユニット１を備える（図示しない）ヘッドホンの場合には、比較例の（図示しない）ヘッドホンとの比較試聴の結果、比較例のヘッドホンに比べて再生音質の方が優れることが確認できる。本実施例の場合には、動電型のスピーカーユニット１の振動板１０のローリングに起因する異音などの不要な音波の発生を抑えることができるからである。もちろん、この振動板１０を用いる動電型のスピーカーユニット１は、ユーザーの耳にハウジングを直接支持させる（図示しない）イヤホンに用いてもよい。
【００６５】
なお、振動板１０を構成する樹脂材料は、上記実施例のＰＥＴのフィルム状部材に限定されない。振動板１０を形成する材料は、例えば、他のＰＥＥＫ（ポリエーテルエーテルケトン）、ＰＥＩ（ポリエーテルイミド）、ＰＥＮ（ポリエチレンナフタレート）、ＰＣ（ポリカーボネート）、ＰＩ（ポリイミド）、ＰＡＲ（ポリアリレート）、ＰＰＳ（ポリフェニレンサルファイド）、等の軽量な樹脂材料のフィルム、もしくは、シートを熱プレスして形成したものであってもよく、また、エラストマーのシートをプレス成形したものであってもよい。また、振動板１０を形成する材料は、セルロース等の天然繊維や合成繊維から構成された不織布、または、紙材であってもよい。
【００６６】
振動板１０は、ドーム部１１の外周部に規定されるボイスコイル取付部にボイスコイル５を連結して、動電型のスピーカーユニット１を構成するスピーカー振動系の組み立て部品として取り扱うことができる。ボイスコイル５の引き出し線６は、本実施例の振動板１０のような整形処理を行えばよい。つまり、引き出し線６を、エッジ部１２の背面側において一つの凹状リブ１３と隣接する凹状リブ１３の間に規定される谷間部１４に沿って第１接着剤層７を形成する第１接着剤で固定する工程と、引き出し線６を、さらに外周縁部１５に沿って湾曲させて第２接着剤層８を形成する第２接着剤で固定する工程と、を含む整形処理を行えばよい。
【００６７】
本実施例では、第１接着剤層７を形成する第１接着剤および第２接着剤層８を形成する第２接着剤は、紫外線を照射すると硬化する紫外線硬化接着剤であるが、ゴム系接着剤、アクリル系接着剤、エポキシ系接着剤、等の他の接着剤を用いてもよい。第１接着剤と第２接着剤とに別の接着剤を用いてもよい。第１接着剤は、硬化時間の短い接着剤であるのが好ましいが、引き出し線６を第１接着剤で固定する工程の後に、第１接着剤が硬化して第１接着剤層７を形成する硬化時間が確保されていれば、適切な接着剤を選択可能である。引き出し線６を第２接着剤で固定する前に、引き出し線６を外周縁部１５に沿って湾曲させるように整形できる。
【００６８】
なお、ボイスコイル５の直径寸法と、振動板１０を構成する樹脂材料の厚み寸法とに応じて、ドーム部１１並びにエッジ部１２の形状寸法は、凹状リブ１３の稜線部を面取りする曲面の寸法を含めて変更可能である。また、本実施例の振動板１０のドーム部１１は、上記実施例のように球面の一部のような形状であればよいが、ドーム部１１にも補強を図る凹状または凸状の溝であるリブを設けてもよい。
【００６９】
本実施例のフレーム２は、上記のようなポリフェニレンエーテル系樹脂と、ポリスチレン系樹脂と、ポリオレフィン系樹脂とを特定の比率で含有する樹脂材料を採用することにより、高い内部損失と優れた機械的特性をバランスよく有し、軽量で、かつ、優れた耐熱性およびＳ／Ｎ比を有することができるようにしているが、比率の異なる他の樹脂材料または金属材料でフレーム２を構成してもよい。
【産業上の利用可能性】
【００７０】
本発明の振動板は、図示するような動電型のスピーカーユニットに限らず、さらにダンパーを備えてスピーカー振動系を構成するスピーカーユニットであってもよい。また、動電型のスピーカーユニットに限らず、圧電型のスピーカーユニットにも適用が可能である。
【符号の説明】
【００７１】
１            スピーカーユニット
２            フレーム
２１          振動板固定部
２２          磁気回路固定部
２３          連結部
２４          端子固定部
３            磁気回路
４            端子
５            ボイスコイル
６            引き出し線
７            第１接着剤層
８            第２接着剤層
９            接着剤層
１０、１００ａ、１００ｂ      振動板
１１          ドーム部
１２          エッジ部
１３          凹状リブ
１４          谷間部
１５          外周縁部
１６          固定部
【図１】
2019161542.tif 000003
【図２】
2019161542.tif 000004
【図３】
2019161542.tif 000005
【図４】
2019161542.tif 000006
【図５】
2019161542.tif 000007
【図６】
2019161542.tif 000008
【図７】
2019161542.tif 000009